(57)【要約】【課題】周波数の異なる２種類の高調波振動がある場合でもプリント品質を低下させることのない画像形成装置をより合理的に構成する点にある。【解決手段】レーザビームを出力するレーザ光源５０、レーザビームを記録媒体Ｐに対して走査露光する回転ポリゴンミラー５１、記録媒体Ｐを副走査方向に搬送する搬送ユニットＧｃを備え、回転ポリゴンミラー５１の駆動源５５に基づく高調波振動の周波数Ｆｐ（Ｈｚ）と、搬送ユニットＧｐの駆動源Ｍ３に基づく高調波振動の周波数Ｆｔ（Ｈｚ）との間に、（Ｆｔ＜Ｆｐ−２００）または（Ｆｔ＞Ｆｐ＋５０）なる大小関係が成立するように構成した。【選択図】図３
2010224443.tif 000002
【特許請求の範囲】
【請求項１】
レーザビームを出力するレーザ光源、
前記レーザビームを記録媒体に対して主走査方向に沿って走査露光する回転ポリゴンミラー、および
記録媒体を前記主走査方向と交差する副走査方向に搬送する搬送ユニットを備えた画像形成装置の設計方法であって、
前記回転ポリゴンミラーの駆動源に基づく高調波振動の周波数と前記搬送ユニットの駆動源に基づく高調波振動の周波数との差が２００Ｈｚ未満の場合に、前記回転ポリゴンミラーの駆動源に基づく高調波振動の周波数が前記搬送ユニットの駆動源に基づく高調波振動の周波数を下回るように、前記回転ポリゴンミラーの駆動源と前記搬送ユニットの駆動源とを選択することを特徴とする画像形成装置の設計方法。
【請求項２】
レーザビームを出力するレーザ光源、
前記レーザビームを記録媒体に対して主走査方向に沿って走査露光する回転ポリゴンミラー、および
記録媒体を前記主走査方向と交差する副走査方向に搬送する搬送ユニットを備え、
前記回転ポリゴンミラーの駆動源に基づく高調波振動の周波数Ｆｐ（Ｈｚ）と、前記搬送ユニットの駆動源に基づく高調波振動の周波数Ｆｔ（Ｈｚ）との間に、（Ｆｔ＜Ｆｐ−２００）または（Ｆｔ＞Ｆｐ＋５０）なる大小関係が得られていることを特徴とする画像形成装置。
【発明の詳細な説明】
【技術分野】
【０００１】
本発明は、レーザビームを出力するレーザ光源、レーザビームを記録媒体に対して主走査方向に沿って走査露光する回転ポリゴンミラー、および、記録媒体を前記主走査方向と交差する副走査方向に搬送する搬送ユニットを備えた画像形成装置の設計方法及び同設計方法に基づいて構成された画像形成装置に関する。
【背景技術】
【０００２】
上記のように構成された画像形成装置において、振動が出力プリントに与える影響を抑制する技術を記したものとして下記の特許文献１が存在する。この特許文献１では、回転時のポリゴンミラーの高周波の振動と、ＳＯＳミラーの固有振動とが干渉して「うなり」が生じ、この「うなり」がＳＯＳミラーで反射してＳＯＳセンサに入力する光ビームのタイミングのずれとなり、感光材料上の濃度ムラとして現れるものと考え、この課題を解消するために装置を構成する各部材に設定された数値が条件を満たすように各部材を組み合わせることを記している。
【０００３】
具体的にはポリゴンミラーの回転数から求めた振動数、半導体レーザの出力周波数、ＳＯＳミラーの固有振動数、画像濃度差の値等を所定の式にあてはめることにより、ＳＯＳミラーの固有振動数が予め設定された範囲となるように、このＳＯＳミラーの材料、形状を定めている。
【０００４】
【特許文献１】特開平７‐３０６３７０号公報（請求項１、段落番号〔００３８〕〜〔００５７〕、図３）
【発明の開示】
【発明が解決しようとする課題】
【０００５】
特許文献１のように、露光に影響を及ぼす部位における固有振動数を設定するものでは、レーザビームと露光対象（記録媒体）との相対的な振動を抑制し、結果としてプリント品質を高めるものである。
【０００６】
しかしながら、ポリゴンミラーを高速回転させて露光を行う写真プリント装置（画像形成装置の一例）においてプリント品質を考えると、ポリゴンミラーの回転系の振動を抑制し、印画紙を搬送する電動モータの振動を抑制したものであっても、夫々が同時に駆動された場合には、プリント品質が低下する現象が実際に見られる。
【０００７】
種々の実験と考察の結果、この現象は、個々の振動の振幅は小さくても、２つの振動から比較的大きい振幅の「うなり」が発生し、この「うなり」によって露光系のフレーム等を比較的大きく振動させる現象を惹起していることが判明した。また、プリントの品質を低下させる理由としては、「うなり」によってレーザビームが主走査方向にシフトし、露光ライン上に濃淡として現れる現象として説明できる。
【０００８】
この露光ライン上の濃淡が単一の露光ライン上に現れる場合には視認が困難である。しかしながら、「うなり」の周期が露光ラインの走査周期に近い場合には、連続する露光ライン上に濃淡が現れる。そして、「うなり」の周波数と走査周期との差が殆どない場合には各露光ラインの濃淡が副走査方向にベルト状に現れる現象に繋がる。また、「うなり」の周波数と走査周期に少し差がある場合には、各露光ライン上において濃淡位置が主走査方向へシフトするため、この濃淡が波状に現れる現象に繋がる。
【０００９】
従来からの画像形成装置は、ポリゴンミラーの回転に伴う振動と、他のアクチュエータの駆動に伴う振動とに起因する「うなり」を考慮するものでなかったため、プリント品質を十分に高めることができなかった。
【００１０】
本発明の目的は、２種の振動が相互作用する場合でもプリント品質を低下させることのない画像形成装置をより合理的に構成する点にある。
尚、ポリゴンミラーの回転に伴う高調波振動の周波数と、他のアクチュエータの駆動に伴う高調波振動の周波数とを２００Ｈｚ以上など大きく引き離すことで、「うなり」が解消され、プリント品質が向上することは既に判明している。本発明は、２つの回転系の有する高調波振動の周波数を必ずしも理想的に引き離すことができないという現実問題を考慮し、ポリゴンミラーの回転系と、他のアクチュエータの回転系との選択範囲に自由度をもたらす画像形成装置の設計方法、および、同設計方法を応用した画像形成装置である。
【課題を解決するための手段】
【００１１】
本発明の第１の特徴構成は、
レーザビームを出力するレーザ光源、
前記レーザビームを記録媒体に対して主走査方向に沿って走査露光する回転ポリゴンミラー、および
記録媒体を前記主走査方向と交差する副走査方向に搬送する搬送ユニットを備えた画像形成装置の設計方法であって、
前記回転ポリゴンミラーの駆動源に基づく高調波振動の周波数と前記搬送ユニットの駆動源に基づく高調波振動の周波数との差が２００Ｈｚ未満の場合に、前記回転ポリゴンミラーの駆動源に基づく高調波振動の周波数が前記搬送ユニットの駆動源に基づく高調波振動の周波数を下回るように、前記回転ポリゴンミラーの駆動源と前記搬送ユニットの駆動源とを選択する点にある。
【００１２】
本発明の第１の特徴構成による設計方法を用いれば、２つの回転系の有する高調波振動の周波数の差が２００Ｈｚ以上となるように回転ポリゴンミラーの駆動源と搬送ユニットの駆動源とを選択できない場合でも、搬送ユニットの駆動源に基づく高調波振動の周波数が、回転ポリゴンミラーの駆動源に基づく高調波振動の周波数を上回るように設計することで、回転ポリゴンミラーの駆動源に基づく高調波振動と搬送ユニットの駆動源に基づく高調波振動とが明白な干渉を示さず、出力プリントに現れるバンディングという縞状の欠点も著しく改善された。そのため、出力プリントの品質を高く保てる条件内で選択可能な回転ポリゴンミラーの駆動源と搬送ユニットの駆動源との組み合わせが増し、画像形成装置の設計が容易になった。
【００１３】
本発明の第２の特徴構成は、
レーザビームを出力するレーザ光源、
前記レーザビームを記録媒体に対して主走査方向に沿って走査露光する回転ポリゴンミラー、および
記録媒体を前記主走査方向と交差する副走査方向に搬送する搬送ユニットを備えた画像形成装置であって、
前記回転ポリゴンミラーの駆動源に基づく高調波振動の周波数Ｆｐ（Ｈｚ）と、前記搬送ユニットの駆動源に基づく高調波振動の周波数Ｆｔ（Ｈｚ）との間に、（Ｆｔ＜Ｆｐ−２００）または（Ｆｔ＞Ｆｐ＋５０）なる大小関係が得られている点にある。
【００１４】
本発明の第２の特徴構成による画像形成装置では、２つの回転系の有する高調波振動の周波数の差が２００Ｈｚ以上となるように回転ポリゴンミラーの駆動源と搬送ユニットの駆動源とを選択できない場合でも、回転ポリゴンミラーの駆動源に基づく高調波振動の周波数Ｆｐ（Ｈｚ）と、搬送ユニットの駆動源に基づく高調波振動の周波数Ｆｔ（Ｈｚ）との間に、（Ｆｔ＜Ｆｐ−２００）または（Ｆｔ＞Ｆｐ＋５０）なる大小関係が成立するように２つの駆動源を選択することで、回転ポリゴンミラーの駆動源に基づく高調波振動と搬送ユニットの駆動源に基づく高調波振動とが明白な干渉を示さず、出力プリントに現れるバンディングという縞状の欠点が著しく改善された。
【００１５】
尚、前述した回転ポリゴンミラーの駆動源と搬送ユニットの駆動源とにおける高調波振動とは、出力プリントにバンディング状の影響を及ぼす特性の高調波振動のみを指す。ここでは、具体的には、図５に例示するスペクトル図で全ての周波数で見られる一般的なピークに比して顕著に突出したピークを示す高調波振動と規定しておく。
【図面の簡単な説明】
【００１６】
【図１】写真プリント装置の斜視図
【図２】写真プリント装置の縦断正面図
【図３】露光処理系の概要を示す斜視図
【図４】露光処理部の印画紙搬送系を示す斜視図
【図５】バンディング現象を実験的に比較したスペクトル図
【発明を実施するための最良の形態】
【００１７】
以下、本発明の実施形態を図面に基づいて説明する。
（全体構成）
図１及び図２に示す写真プリント装置（画像形成装置の一例）は、暗箱構造の筐体１０を有し、この筐体１０の内部には印画紙Ｐ（記録媒体の一例）に露光を行う露光処理部Ｅｘと、露光済みの印画紙Ｐの現像処理を行う現像処理部Ｄｅと、この現像処理部Ｄｅからの印画紙Ｐを乾燥する乾燥処理部Ｄｒとを備え、この乾燥処理部Ｄｒで乾燥された印画紙Ｐを筐体１０の端部の排出部１１から排出し、搬送ベルト１２で受け止めて水平方向に搬送し、複数のトレイ１３Ａの何れかにオーダ単位で回収可能なソータ１３を備えている。
【００１８】
露光処理部Ｅｘと現像処理部Ｄｅとの間には、露光処理部Ｅｘから送り出された印画紙Ｐを反転することで表裏を入れ換えた状態で現像処理部Ｄｅに手渡す縦搬送部ＣＶが設けられている。また、筐体１０の外部には、オペレータが画像データの取得と、プリント処理に必要な操作とを行う操作端末として機能するオペレート部Ａが設置されている。
【００１９】
（オペレート部Ａ）
オペレート部Ａには、操作テーブル２０に設置された汎用コンピュータで成る画像処理装置２１と、画像処理装置２１の上面に設置されたディスプレイ２２と、現像処理後の写真フィルムＦのコマ画像から画像データを取得するフィルムスキャナ２３と、２つのキーボード２４と１つのマウス２５とを備えている。画像処理装置２１の前面には各種の半導体型の記憶媒体（不図示）、あるいは、ＣＤ−ＲＯＭ、ＤＶＤ、ＭＯ等の磁気式や光学式の記憶媒体（不図示）等から画像データを取得する複数のメディアドライブ２６を備えている。
【００２０】
（縦搬送部ＣＶ）
縦搬送部ＣＶは、露光処理部Ｅｘで露光された印画紙Ｐを圧着型のローラ対１５で受け取り、この圧着型のローラ対１５の姿勢変換によって表裏を入れ換え、ガイドレール１６に沿って上方に搬送し、現像処理部Ｄｅに送り出す動作を行う。
【００２１】
（現像処理部Ｄｅ・乾燥処理部Ｄｒ）
現像処理部Ｄｅは、発色現像槽と漂白定着槽と安定槽とで成る複数の処理槽を合成樹脂によって一体形成した現像処理槽３０を備え、露光処理部Ｅｘから供給された印画紙Ｐを夫々の現像処理槽３０に搬送するように複数の圧着型の複数のローラ対を有した搬送機構３１を備えている。また、乾燥処理部Ｄｒは、現像処理部Ｄｅから送り出された印画紙Ｐを搬送する複数の圧着ローラ対３２と、この圧着ローラ対３２で搬送される印画紙Ｐに対して加熱された乾燥空気を供給するブロワＢとを備えている。
【００２２】
（露光処理部Ｅｘ）
露光処理部Ｅｘは、ロール状に巻き取られた印画紙Ｐを収容した印画紙マガジンＭから印画紙Ｐを引き出して、水平方向に送り出す圧着型の供給搬送ローラ４１と、供給搬送ローラ４１から印画紙Ｐを受け取り、印画紙Ｐの先端付近を挟持したまま水平に移動する挟持搬送手段としてのチャッカーＣと、チャッカーＣの水平方向への移動によって、印画紙Ｐを受け取って露光操作を行う露光ユニットＧとを備えている。供給搬送ローラ４１とチャッカーＣとの間には、供給搬送ローラ４１から供給された印画紙ＰをチャッカーＣに向けて送り込む排出ローラ対４３、及び、印画紙Ｐを露光ユニットＧにて形成する画像サイズに対応した長さに切断するカッターユニット４２が設けられている。
【００２３】
露光ユニットＧでは、露光搬送ユニットＧｃによって印画紙Ｐを水平方向（副走査方向）に搬送しながら、露光ポイントＧｐにて主走査方向に沿った走査露光を行うように構成されている。
露光処理部Ｅｘにおいて、供給搬送ローラ４１から露光ユニットＧに印画紙Ｐを搬送する部位には第１補助筐体３３を配置しており、供給搬送ローラ４１、カッターユニット４２、チャッカーＣの作動系等はこの第１補助筐体３３に支持されている。この露光処理部Ｅｘには、この露光処理部Ｅｘでの印画紙Ｐの搬送、及び、露光ユニットＧによる露光を制御するためにマイクロプロセッサーを有した露光制御手段としての制御ユニット３６を備えている。
【００２４】
印画紙マガジンＭは、ケース５の内部にロール状の印画紙Ｐを支持する巻芯６を備えると共に、印画紙Ｐに搬送力を作用させる圧着型のフィードローラ対７を備えている。図面には示していないが、ケース５の内部には巻芯６とフィードローラ対７とを連動して回転駆動するように複数のギヤを有した伝動系を備えており、印画紙マガジンＭの外部にはフィードローラ対７の駆動軸に動力を伝えて印画紙Ｐの送り出しと、巻き戻しとを行うマガジンモータ（不図示）を備えている。
【００２５】
（チャッカー）
チャッカーＣは、印画紙Ｐの搬送方向に沿って移動自在に支持されたスライダ（不図示）と、このスライダに対して縦向き姿勢の揺動軸周りで揺動自在に支持された支持アームとを有する。支持アームは、印画紙Ｐの上面（感光面）に位置する上部アーム５７と、支持アームの両端部に連結し、印画紙Ｐの下面に位置する下部アーム５８とを設け、これらの上部アーム５７と下部アーム５８との間に印画紙Ｐを導入するスリット状の印画紙導入空間を形成している。
【００２６】
下部アーム５８は、一対の接当ピンを備えており、上部アーム５７には、バネの付勢力で印画紙Ｐを前記接当ピンに押し付けて挟み込む一対のチャックピンと、チャックピンを挟持解除方向に操作する挟持解除モータとが備えられている。
チャッカーＣは、排出ローラ対４３から印画紙Ｐを受け取るための待機位置（図２の実線で示す）と、露光搬送ユニットＧｃに印画紙Ｐを受け渡すための排出位置（図２の破線で示す）との間で往復移動自在に構成されている。
【００２７】
（露光ユニット）
露光ユニットＧは、図２、図３に示すように、印画紙Ｐの感光面に対してレーザビームを主走査方向にスキャンするビーム出射ユニットＧｈと、このビーム出射ユニットＧｈの下方の露光ポイントＧｐにおいて印画紙Ｐを副走査方向に搬送する露光搬送ユニットＧｃとで構成されている。ビーム出射ユニットＧｈを収めた第２補助筐体３４と露光搬送ユニットＧｃを収めた第３補助筐体３５とは互いに複数のネジで連結されることで単一の剛体を構成している。そして、第３補助筐体３５を懸架した第２補助筐体３４は、４個の防振ゴム３７を介して下の第１補助筐体３３の上面に支持されている。
【００２８】
ビーム出射ユニットＧｈは、Ｒ（赤）、Ｇ（緑）、Ｂ（青）の３原色に対応した３種のレーザビームを生成するレーザビーム生成装置５０と、縦軸芯周りで高速回転してレーザビームを走査するポリゴンミラー５１と、このポリゴンミラー５１からのレーザビームの走査速度を変換するｆθレンズ５２と、横向きのレーザビームを下向きに変更するための偏向ミラー５３とを備える。
【００２９】
レーザビーム生成装置５０は、Ｒ（赤）、Ｇ（緑）、Ｂ（青）の３原色に対応して、半導体レーザで成るレーザ光源５０ｒと、固体レーザで成るレーザ光源５０ｇと、固体レーザで成るレーザ光源５０ｂとを備えると共に、Ｇ（緑）、Ｂ（青）に対応した２つのレーザ光源５０ｇ、５０ｂからのレーザビームの強度（光量）を調節（変調）する音響光学変換素子（ＡＯＭ）で成る光量調節機構５４ｇ、５４ｂと、３種のレーザビームを反射する３つのビームミラーＭｒ、Ｍｇ、Ｍｂとを備えている。
また、ポリゴンミラー５１はアクチュエータとして電動型のポリゴンモータ５５の駆動力で回転駆動される。
【００３０】
図４に示すように、露光搬送ユニットＧｃは、第１補助筐体３３のチャッカーＣから印画紙Ｐを受け取る受入れローラ対７１と、この受入れローラ対７１から印画紙Ｐが受け渡される２組の第２露光ローラ対７２、７３とを備えている。この２組の第２露光ローラ対７２、７３は、ビーム出射ユニットＧｈの主走査方向に延びた露光ポイントＧｐを挟んで上流側と下流側に配置され、印画紙Ｐを主走査方向と直交する副走査方向に搬送する。
【００３１】
受入れローラ対７１は、電動型のモータＭ１によって回転駆動される下方の駆動ローラ７１ａと、印画紙Ｐを駆動ローラ７１ａに押し付けた挟着姿勢と、駆動ローラ７１ａから上方に離間した解除姿勢との間で、電動型のモータＭ２によって回転駆動されるカムディスクによって上下方向に切り換え可能に構成された遊転型の圧着ローラ７１ｂとからなる。
【００３２】
同様に、下流側の２対の露光ローラ対７２、７３もまた、電動型のモータＭ３（他のアクチュエータの一例、電動モータの一例）によって回転駆動される下方の駆動ローラ７２ａ、７３ａと、印画紙Ｐを各駆動ローラ７２ａ、７３ａに押し付けた挟着姿勢と、駆動ローラ７２ａ、７３ａから上方に離間した解除姿勢との間で、電動型のモータＭ４によって回転駆動されるカムディスク７４によって上下方向に切り換え可能に構成された遊転型の圧着ローラ７２ｂ、７３ｂとからなる。
【００３３】
（駆動力伝達機構）
露光ポイントＧｐにおけるレーザビームによる露光中の印画紙Ｐの搬送速度は駆動ローラ７２ａ、７３ａで制御される。モータＭ３から駆動ローラ７２ａ、７３ａに回転駆動力を与える駆動力伝達機構は、モータＭ３の回転軸Ｓに固着された出力プーリＬ１と、駆動ローラ対７２ａ、７３ａのうち下側のローラの駆動軸に固着された入力プーリＬ２と、これら出力プーリＬ１と一対の入力プーリＬ２とに亘って巻回された無端駆動ベルトＤＢとを備えている。
【００３４】
また、モータＭ２の回転軸からの回転駆動力をカムディスクに伝えるベルト式の伝動系と、モータＭ４の回転軸からの回転駆動力をカムディスク７４に伝えるベルト式の伝動系とを備えている。
【００３５】
画像形成装置としての本発明の写真プリント装置の最大の特徴は、ポリゴンミラー５１、及び、このポリゴンミラー５１を回転駆動するポリゴンモータ５５を含む回転系の回転に起因する高調波振動の周波数Ｆｐ（Ｈｚ）と、印画紙Ｐを露光ポイントＧｐにて搬送するために駆動されるモータＭ３の駆動に起因する高調波振動の周波数Ｆｔ（Ｈｚ）とが下記の関係を満たすように設定されている点にある。
【００３６】
（Ｆｔ＜Ｆｐ−２００）・・・・・・（式１）、または
（Ｆｔ＞Ｆｐ＋５０）・・・・・・・（式２）
【００３７】
すなわち、２種類の高調波振動どうしの干渉（うなり）に基づく画像ムラ（バンディング）を防止するためには、印画紙搬送用のモータＭ３に起因する高調波振動の周波数Ｆｔが、ポリゴンモータ５５に起因する高調波振動の周波数Ｆｐよりも小さい場合には、２００Ｈｚを超える差が必要であることになる。
他方、印画紙搬送用のモータＭ３に起因する高調波振動の周波数Ｆｔが、ポリゴンモータ５５に起因する高調波振動の周波数Ｆｐよりも大きい場合には、５０Ｈｚを超える差があれば良いことになる。
【００３８】
したがって、仮にポリゴンモータ５５に起因する高調波振動の周波数Ｆｐが４１４０Ｈｚと判明した場合、搬送用のモータＭ３の定格並びにモータＭ３の保持部材の設計は、このモータＭ３に起因する高調波振動の周波数Ｆｔが（Ｆｔ＜３９４０Ｈｚ、または、Ｆｔ＞４１９０Ｈｚ）を満たすように行えばよいことになる。特に、モータＭ３に起因する高調波振動の周波数Ｆｔが、ポリゴンモータ５５に起因する高調波振動の周波数Ｆｐよりも大きい側では、小さい側に比して選択範囲が広がり、例えばＦｐとの差が１００Ｈｚに過ぎない４２４０Ｈｚでも良好な結果が認められた。
【００３９】
図５は、モータＭ３としてＦｐ（４１４０Ｈｚ）よりも１００Ｈｚだけ小さい４０４０Ｈｚの高調波振動を生成するモータＡを選択した写真プリント装置と、Ｆｐ（４１４０Ｈｚ）よりも１００Ｈｚだけ大きい４２４０Ｈｚの高調波振動を生成するモータＢを選択した写真プリント装置とで出力した場合にプリントに見られるバンディング現象の現れ方を比較したスペクトル図である。これらのスペクトル図は、前述の２形態の写真プリント装置を用いて一面全てグレーのプリントを出力させ、この各プリントをフラットベッドスキャナーで読み取り、画像に含まれる副走査方向での空間周波数をフーリエ変換することで得られる。グラフの縦軸は濃度値（振幅）を示し、横軸は周波数を示す。
【００４０】
図５（ａ）はモータＡを用いた写真プリント装置に対応し、図５（ｂ）はモータＢを用いた写真プリント装置に対応している。これらの図から理解できるように、ポリゴンモータ５５に起因する高調波振動の周波数Ｆｐよりも１００Ｈｚだけ小さい高調波振動の周波数Ｆｔを有するモータＡを用いた図５（ａ）には、ＦｐとＦｔの差分に相当する１００Ｈｚ付近に顕著に目立つ高いピークが見られる。しかし、周波数Ｆｐよりも１００Ｈｚだけ大きい高調波振動の周波数Ｆｔを有するモータＢを用いた図５（ｂ）では１００Ｈｚ付近にも顕著なピークは見られないため、干渉によるバンディングが抑制されることが予測される。
前述の式１および式２で表される傾向はポリゴンモータに起因する高調波振動の周波数Ｆｐが４１４０Ｈｚの場合に限らず、例えば６９００Ｈｚなど他の周波数を示す場合にも確認されている。
【００４１】
尚、このように２つの駆動系による高調波振動の間に好適な周波数の差が成立するように、モータＭ３の駆動力を露光ローラ対７２、７３に伝えるベルト式の伝動系の減速比を設定している。つまり、減速比を設定することにより、印画紙Ｐを設定速度で搬送するものでも、モータＭ３の回転速度を高くすることや低くすることによりモータＭ３の回転に起因する振動の周波数を任意に設定して周波数の差を上記の範囲に維持できることになる。
【００４２】
〔別実施形態〕
前述した実施形態では、画像形成装置においてポリゴンミラー５１を駆動するアクチュエータに対する他のアクチュエータの一例としてモータＭ３を対象としていたが、モータＭ２に基づく高調波振動が画像の欠点に結び付いている場合には、モータＭ２を同様に扱い、同上の大小関係が得られるように設定すればよい。
【符号の説明】
【００４３】
Ｅｘ  露光処理部
Ｇ  露光ユニット
Ｍ  ２モータ
Ｍ３  モータ（他のアクチュエータ）
Ｍ４  モータ
Ｐ  印画紙（記録媒体）
３１  搬送機構
３２  圧着ローラ対
４１  供給搬送ローラ
４２  カッターユニット
４３  排出ローラ対
Ｇｃ  露光搬送ユニット
５０  レーザビーム生成装置
５１  ポリゴンミラー
５５  ポリゴンモータ
７１ａ  駆動ローラ
７１ｂ  圧着ローラ
【図１】
2010224443.tif 000003
【図２】
2010224443.tif 000004
【図３】
2010224443.tif 000005
【図４】
2010224443.tif 000006
【図５】
2010224443.tif 000007